(57)【要約】【課題】  六面の全ての方向に緩衝材を形成しつつも折り返しが簡単でありながら、収容作業も容易とする。【解決手段】  緩衝用フラップ１６−４において、先端側が根本の側面（左側面１４）に戻るように断面が概略三角形となるように環状に折り込むにあたり、先端側の三角形の一面が開口面と略平行になる底面１６−４−１を形成するようにし、この底面から前記根本の側へと続く各面を第一面１６−４−２と第二面１６−４−３としたとき、この第一面１６−４−２と第二面１６−４−３とが接する辺Ｅ−１１と直交するように略平行な二本の切れ目Ｃ−１１，Ｃ−１２を形成している。二本の切れ目Ｃ−１１，Ｃ−１２の間でこの第一面１６−４−２と第二面１６−４−３とが接する辺Ｅ−１１が形成する角を当該三角形の内部側に折り込ませる。すると、折り込ませた部位で凹部Ｄ−１１が形成される。この凹部Ｄ−１１を第一の底側支持部と呼ぶ。【選択図】  図１３
2015174686.tif 000002
【特許請求の範囲】
【請求項１】
六面体の矩形の段ボール梱包箱であって、
側面の四面が環状に連結されており、各面の上辺と下辺から矩形のフラップ形状部分が延設され、上辺と下辺のそれぞれで、相対向する二辺から開口部分を閉塞するように相手側の辺に向けて延設される蓋用フラップ対と、残りの二辺から延設されて被梱包物の固定と保持に使用する緩衝用フラップ対とを備えており、
先端側が根本の側面に戻るように断面が概略三角形となるように環状に折り込むにあたり、先端側の三角形の一面が開口面と略平行になる底面を形成するようにし、この底面から前記根本の側へと続く各面を第一面と第二面としたとき、この第一面と第二面とが接する辺と直交するように略平行な二本の切れ目を形成するとともに、二本の切れ目の間でこの第一面と第二面とが接する辺が形成する角を当該三角形の内部側に折り込ませ、折り込ませた部位で凹部を形成した第一の底側支持部を備えることを特徴とする段ボール梱包箱。
【請求項２】
前記第一の底側支持部を形成しない側の緩衝用フラップ対では、
断面が概略三角形となるように環状に折り込むにあたり、根本側の三角形の一面が開口面と略平行となる天面となり、先端側へと続く各面を第三面と第四面としたとき、この第三面と第四面とが接する辺と直交するように略平行な二本の切れ目を形成するとともに、二本の切れ目の間でこの第三面と第四面とが接する辺が形成する角を当該三角形の内部側に折り込ませ、折り込ませた部位で凹部を形成した第一の天側支持部を備えることを特徴とする請求項１に記載の段ボール梱包箱。
【請求項３】
前記折り込ませた部位で凹部を形成したとき、この凹部は内側にへこむ角を形成し、四つの前記緩衝用フラップで形成される四つの角が当該段ボール梱包箱の内部で各面から離間した位置に矩形体の支持空間を形成することを特徴とする請求項１または請求項２に記載の段ボール梱包箱。
【請求項４】
前記二本の切れ目が形成された部位で、内側に折り込まれない側の二面が形成する角は、前記凹部を挟んで一対となって対峙し、これらの一対の角と角の間に被収容物を挟み込める支持空間を形成することを特徴とする請求項１〜請求項３のいずれかに記載の段ボール梱包箱。
【請求項５】
六面体の矩形の段ボール梱包箱であって、
側面の四面が環状に連結されており、各面の上辺と下辺から矩形のフラップ形状部分が延設され、上辺と下辺のそれぞれで、相対向する二辺から開口部分を閉塞するように相手側の辺に向けて延設される蓋用フラップ対と、残りの二辺から延設されて被梱包物の固定と保持に使用する緩衝用フラップ対とを備えており、
先端側が根本の側面に戻るように断面が概略四角形となるように環状に折り込むにあたり、先端側の四角形の一面が開口面と略平行になる底面を形成するようにし、この底面から前記根本の側へと続く各面を第一面と第二面と第三面したとき、この第一面と第二面とが接する辺と直交するように略平行な二本の切れ目を形成するとともに、二本の切れ目の間でこの第一面と第二面とが接する辺が形成する角を当該四角形の内部側に折り込ませ、折り込ませた部位で凹部を形成した第二の底側支持部を備えることを特徴とする段ボール梱包箱。
【請求項６】
前記第二の底側支持部を形成しない側の緩衝用フラップ対では、断面が概略四角形となるように環状に折り込むにあたり、根本側の四角形の一面が開口面と略平行となる天面となり、先端側へと続く各面を第四面と第五面と第六面としたとき、この第四面と第五面とが接する辺と直交するように略平行な二本の切れ目を形成するとともに、二本の切れ目の間でこの第四面と第五面とが接する辺が形成する角を当該四角形の内部側に折り込ませ、折り込ませた部位で凹部を形成した第二の天側支持部を備えることを特徴とする請求項５に記載の段ボール梱包箱。
【請求項７】
前記折り込ませた部位で凹部を形成したとき、この凹部は内側にへこむ角を形成し、四つの前記緩衝用フラップで形成される四つの角が当該段ボール梱包箱の内部で各面から離間した位置に矩形体の支持空間を形成することを特徴とする請求項５または請求項６に記載の段ボール梱包箱。
【請求項８】
前記二本の切れ目が形成された部位で、内側に折り込まれない側の二面が形成する角は、前記凹部を挟んで一対となって対峙し、これらの一対の角と角の間に被収容物を挟み込める支持空間を形成することを特徴とする請求項５〜請求項７のいずれかに記載の段ボール梱包箱。 
【発明の詳細な説明】
【技術分野】
【０００１】
本発明は、段ボール梱包箱に関し、特に、被梱包物のための別体の緩衝材が不要な段ボール梱包箱に関する。
【背景技術】
【０００２】
段ボール箱に被梱包物を収容して梱包する場合、段ボールの一部を利用して緩衝材とするものが利用されてきている。
特許文献１は、包装箱に関し、図３と段落００２２〜段落００３６には、箱の素材を折り曲げて形成した左右包装品支持板１２６，１２７に支持穴Ｈを開口し、内箱２を支持穴Ｈに保持する旨の開示がある。
特許文献２は、包装用箱に関し、図４と段落０００６〜段落０００７には、起立維持片２１の係止片２３を係止部２４，２５に挿入して三角形断面に保持する旨の開示がある。
【０００３】
特許文献３は、梱包用の組立式緩衝材に関し図６〜図８と段落００４５〜段落００４８には、形断面の緩衝材を固定片３４を受け入れ口３３から挿入して保持する旨の開示がある。
【先行技術文献】
【特許文献】
【０００４】
【特許文献１】特開２００７−９９３４６号公報
【特許文献２】実開平０７−８２１０号公報
【特許文献３】実登２５７９８９５号公報
【発明の概要】
【発明が解決しようとする課題】
【０００５】
別部材を使用しないで緩衝材とする場合、多くの場合は非常に複雑な切り込みや折り返しが必要となっている。特許文献１に示すものは、いわゆる内側フラップに支持穴を形成しているが、被梱包物を挿入する作業が簡単ではないし、穴が連通する方向に向けた移動を緩衝する部材がない。その他は、折り返しなどが複雑に過ぎる。
本発明は、六面の全ての方向に緩衝材を形成しつつも折り返しが簡単でありながら、収容作業も容易とする。
【課題を解決するための手段】
【０００６】
本発明は、六面体の矩形の段ボール梱包箱であって、側面の四面が環状に連結されており、各面の上辺と下辺から矩形のフラップ形状部分が延設され、上辺と下辺のそれぞれで、相対向する二辺から開口部分を閉塞するように相手側の辺に向けて延設される蓋用フラップ対と、残りの二辺から延設されて被梱包物の固定と保持に使用する緩衝用フラップ対とを備えており、先端側が根本の側面に戻るように断面が概略三角形となるように環状に折り込むにあたり、先端側の三角形の一面が開口面と略平行になる底面を形成するようにし、この底面から前記根本の側へと続く各面を第一面と第二面としたとき、この第一面と第二面とが接する辺と直交するように略平行な二本の切れ目を形成するとともに、二本の切れ目の間でこの第一面と第二面とが接する辺が形成する角を当該三角形の内部側に折り込ませ、折り込ませた部位で凹部を形成した第一の底側支持部を備える構成してある。
【０００７】
前記構成において、本段ボール梱包箱は、六面体の矩形体であり、組み立て前は、側面の四面が環状に連結されており、各面の上辺と下辺から矩形のフラップ形状部分が延設されている。上辺と下辺のそれぞれにおいて、相対向する二辺から相手側の辺に向けて延設される蓋用フラップ対により、開口部分を閉塞する。残りの二辺からは緩衝用フラップ対が延設されており、内部に折り込まれて被梱包物の固定と保持に使用される。
【０００８】
筺体となったときに底側になる緩衝用フラップ対は、以下のように折り込まれる。まず、先端側が根本の側面に戻るように断面が概略三角形となるように環状に折り込む。このとき、先端側の三角形の一面が開口面と略平行になる底面となる向きで折り込む。この底面を基準として、前記根本の側へと続く各面を第一面と第二面とする。この第一面と第二面とが接する辺と直交するように略平行な二本の切れ目を形成する。言い換えると、三角形の筒体に対して輪切りにするように角から切れ目を入れる。すると、二本の切れ目の間でこの第一面と第二面とが接する辺が形成する角を当該三角形の内部側に折り込ませることが可能となる。この角は、折り込む前には外側に向かって凸となる角であるが、内側に折り込ませた時点で外側に向けて凹となる角になる。そして、この三角形に折り込まれた部位は両端を除いた中央部分が凹んだ形状となる。このように折り込ませた部位が凹部となり、第一の底側支持部となる。
【０００９】
第一の底側支持部が形成されることで、当該段ボール梱包箱における内部の底側には相対向する辺から内側に向けて突き出るとともに突き出た先端側に凹部を形成する。従って、被梱包物の底面を形成する四つの辺について、相対向する二辺を両側から保持できるようになる。
第一の底側支持部は、前記凹部で被梱包物の角を支持するが、下方向へかかる荷重は第一面と第二面を底面に向けて平坦にさせようと作用する。しかし、平坦となるためには第一面が被梱包物の側に向けて移動しなければならないが、被梱包物に突き当たるので移動は妨げられ、結果として、第一面と第二面を平坦にさせることができず、被梱包物を下方から支持できる。
【００１０】
また、被梱包物から、この緩衝用フラップの根本が接続する壁面の側にかかる荷重は、凹部を同壁面の側に移動させようと作用する。この荷重は、一つには底面を前記壁面の側に向けて押しつぶそうと作用するので、その対抗力で支持される。また、第二面を壁面の側に近接するように三角筒とした第一の底側支持部を回転させようと作用するものの、被梱包物を上方に移動させる必要があり、被梱包物が上方から支持されている限りはその抗力によって妨げられるから支持される。
【００１１】
本発明の他の態様として、前記第一の底側支持部を形成しない側の緩衝用フラップ対では、断面が概略三角形となるように環状に折り込むにあたり、根本側の三角形の一面が開口面と略平行となる天面となり、先端側へと続く各面を第三面と第四面としたとき、この第三面と第四面とが接する辺と直交するように略平行な二本の切れ目を形成するとともに、二本の切れ目の間でこの第三面と第四面とが接する辺が形成する角を当該三角形の内部側に折り込ませ、折り込ませた部位で凹部を形成した第一の天側支持部を備える構成としても良い。
【００１２】
前記構成では、前記第一の底側支持部が底側で支持部材を形成するのに対し、天側で支持部材を形成する。前記第一の底側支持部を形成しない側の緩衝用フラップ対についても、断面が概略三角形となるように環状に折り込む。ただし、こちらの場合は逆方向に折り込むことになり、根本側の三角形の一面が開口面と略平行となる天面となり、先端側へと続く各面を第三面と第四面とする。そして、この第三面と第四面とが接する辺と直交するように略平行な二本の切れ目を形成する。この場合も、三角形の筒体に対して輪切りにするように角から切れ目を入れる。すると、二本の切れ目の間でこの第三面と第四面とが接する辺が形成する角を当該三角形の内部側に折り込ませることができるようになる。そして、折り込ませた部位が凹部となり、第一の天側支持部となる。
【００１３】
第一の天側支持部が形成されることで、当該段ボール梱包箱における内部の天側には相対向する辺から内側に向けて突き出るとともに突き出た先端側に凹部を形成する。従って、被梱包物の天面を形成する四つの辺について、相対向する二辺を両側から保持できるようになる。
第一の天側支持部は、前記凹部で被梱包物の角を支持するが、上方向へかかる荷重は第三面と第四面を天面に向けて平坦にさせようと作用する。しかし、平坦となるためには第三面が被梱包物の側に向けて移動しなければならないが、天面と連続しているのでこの移動はほぼ不可能であり、第四面についても天面と壁面との接続部分に突き当たるので移動は妨げられ、結果として、第三面と第四面を平坦にさせることができず、被梱包物の上方への移動はできない。
【００１４】
また、被梱包物から、この緩衝用フラップの根本が接続する壁面の側にかかる荷重は、凹部を同壁面の側に移動させようと作用する。この荷重は、一つには天面を前記壁面の側に向けて押しつぶそうと作用するとともに、第四面を同壁面と天面との角に押しつけることになるので、その対抗力で支持される。また、第四面を壁面の側に近接するように三角筒とした第一の天側支持部を回転させようと作用するものの、被梱包物を下方に移動させる必要があり、被梱包物が下方から支持されている限りはその抗力によって妨げられるから支持される。
【００１５】
本発明の他の態様として、前記折り込ませた部位で凹部を形成したとき、この凹部は内側にへこむ角を形成し、四つの前記緩衝用フラップで形成される四つの角が当該段ボール梱包箱の内部で各面から離間した位置に矩形体の支持空間を形成する構成としても良い。
前記構成において、前記第一の底側支持部と第一の天側支持部のそれぞれで折り込ませた部位で凹部を形成することにより、この凹部は内側にへこむ角を形成するので、四つの前記緩衝用フラップで形成される四つの角が当該段ボール梱包箱の内部で各面から離間した位置に矩形体の支持空間を形成することになる。
【００１６】
本発明の他の態様として、前記二本の切れ目が形成された部位で、内側に折り込まれない側の二面が形成する角は、前記凹部を挟んで一対となって対峙し、これらの一対の角と角の間に被収容物を挟み込める支持空間を形成する構成としても良い。
前記構成において、前記二本の切れ目が形成された部位で、内側に折り込まれない側の二面が形成する角は、前記凹部を挟んで一対となって対峙する。従って、これらの一対の角と角の間に被収容物を挟み込める支持空間が形成される。
【００１７】
本発明の他の態様として、六面体の矩形の段ボール梱包箱であって、側面の四面が環状に連結されており、各面の上辺と下辺から矩形のフラップ形状部分が延設され、上辺と下辺のそれぞれで、相対向する二辺から開口部分を閉塞するように相手側の辺に向けて延設される蓋用フラップ対と、残りの二辺から延設されて被梱包物の固定と保持に使用する緩衝用フラップ対とを備えており、先端側が根本の側面に戻るように断面が概略四角形となるように環状に折り込むにあたり、先端側の四角形の一面が開口面と略平行になる底面を形成するようにし、この底面から前記根本の側へと続く各面を第一面と第二面と第三面したとき、この第一面と第二面とが接する辺と直交するように略平行な二本の切れ目を形成するとともに、二本の切れ目の間でこの第一面と第二面とが接する辺が形成する角を当該四角形の内部側に折り込ませ、折り込ませた部位で凹部を形成した第二の底側支持部を備える構成としてある。
【００１８】
前記構成において、緩衝用フラップを先端側が根本の側面に戻るように断面が概略四角形となるように環状に折り込む。このとき、先端側の四角形の一面が開口面と略平行になる底面となる向きに折り込む。この底面から前記根本の側へと続く各面を第一面と第二面と第三面したとき、この第一面と第二面とが接する辺と直交するように略平行な二本の切れ目を形成する。言い換えると四角筒の角に対して輪切りにするように切れ目を入れる。すると、二本の切れ目の間でこの第一面と第二面とが接する辺が形成する角を当該四角形の内部側に折り込ませることができる。そして、折り込ませた部位が凹部を形成し、第二の底側支持部となる。
【００１９】
このようにすることで、当該段ボール梱包箱における内部の底側には相対向する辺から内側に向けて突き出るとともに突き出た先端側に凹部を形成して被梱包物を保持できるようになる。
本発明の他の態様として、前記第二の底側支持部を形成しない側の緩衝用フラップ対では、断面が概略四角形となるように環状に折り込むにあたり、根本側の四角形の一面が開口面と略平行となる天面となり、先端側へと続く各面を第四面と第五面と第六面としたとき、この第四面と第五面とが接する辺と直交するように略平行な二本の切れ目を形成するとともに、二本の切れ目の間でこの第四面と第五面とが接する辺が形成する角を当該四角形の内部側に折り込ませ、折り込ませた部位で凹部を形成した第二の天側支持部を備える構成としても良い。
【００２０】
前記構成において、今度は天側を形成する。第二の底側支持部を形成しない側は天側となり、天側の緩衝用フラップでは、断面が概略四角形となるように環状に折り込むにあたり、根本側の四角形の一面が開口面と略平行となる天面とする。そして、先端側へと続く各面を第四面と第五面と第六面とする。このとき、この第四面と第五面とが接する辺と直交するように略平行な二本の切れ目を形成すると、二本の切れ目の間でこの第四面と第五面とが接する辺が形成する角を当該四角形の内部側に折り込ませることができるようになる。そして、折り込ませた部位が凹部を形成し、第二の天側支持部となる。
【００２１】
第二の天側支持部が形成されることで、当該段ボール梱包箱における内部の天側には相対向する辺から内側に向けて突き出るとともに突き出た先端側に凹部を形成する。従って、被梱包物の天面を形成する四つの辺について、相対向する二辺を両側から保持できるようになる。
本発明の他の態様として、前記折り込ませた部位で凹部を形成したとき、この凹部は内側にへこむ角を形成し、四つの前記緩衝用フラップで形成される四つの角が当該段ボール梱包箱の内部で各面から離間した位置に矩形体の支持空間を形成する構成としても良い。
【００２２】
前記構成において、前記第二の底側支持部と第二の天側支持部のそれぞれで折り込ませた部位で凹部を形成することにより、この凹部は内側にへこむ角を形成するので、四つの前記緩衝用フラップで形成される四つの角が当該段ボール梱包箱の内部で各面から離間した位置に矩形体の支持空間を形成することになる。
本発明の他の態様として、前記二本の切れ目が形成された部位で、内側に折り込まれない側の二面が形成する角は、前記凹部を挟んで一対となって対峙し、これらの一対の角と角の間に被収容物を挟み込める支持空間を形成する構成としても良い。
【００２３】
前記構成において、前記二本の切れ目が形成された部位で、内側に折り込まれない側の二面が形成する角は、前記凹部を挟んで一対となって対峙する。従って、これらの一対の角と角の間に被収容物を挟み込める支持空間が形成される。
【発明の効果】
【００２４】
本発明の段ボール梱包箱は、いわゆる内側フラップを三角筒あるいは四角筒に折り込む作業と、角を形成する辺の一部を内側に折り込むだけの作業で完結し、被梱包物を六面の方向から支持でき、きわめて簡易な構成で効率よく被梱包物をショックから保護しつつ梱包することが可能となる。
【図面の簡単な説明】
【００２５】
【図１】本発明の段ボール梱包箱の組み立て前の展開図である。
【図２】段ボール梱包箱の組み立て後の右前方上方からの斜視図である。
【図３】段ボール梱包箱の組み立て後の左後方下方からの斜視図である。
【図４】段ボール梱包箱の組み立て途中の右前方上方からの斜視図である。
【図５】緩衝用フラップ１６−４の組み立て前の部分展開図である。
【図６】緩衝用フラップ１６−４の組み立て途中の斜視図である。
【図７】緩衝用フラップ１６−４の組み立て後の斜視図である。
【図８】緩衝用フラップ１６−４の組み立て後の正面からの断面図である。
【図９】緩衝用フラップ１５−４の組み立て前の部分展開図である。
【図１０】緩衝用フラップ１５−４の組み立て途中の斜視図である。
【図１１】緩衝用フラップ１５−４の組み立て後の斜視図である。
【図１２】緩衝用フラップ１５−４の組み立て後の正面からの断面図である。
【図１３】段ボール梱包箱の組み立て後の正面からの断面図である。
【図１４】第二実施例にかかる段ボール梱包箱の組み立て前の展開図である。
【図１５】段ボール梱包箱の緩衝用フラップ２６−４の組み立て後の斜視図である。
【図１６】段ボール梱包箱の緩衝用フラップ２５−４の組み立て後の斜視図である。
【図１７】段ボール梱包箱の組み立て後の正面からの断面図である。
【発明を実施するための形態】
【００２６】
（第一実施例）
以下、図面にもとづいて本発明の実施形態を説明する。
図１は、本発明の段ボール梱包箱の組み立て前の展開図、図２は、組み立て後の右前方上方からの斜視図、図３は、組み立て後の左後方下方からの斜視図、図４は、段ボール梱包箱の組み立て途中の右前方上方からの斜視図である。
図１〜図４により、六面体の矩形の段ボール梱包箱１０の各面と各フラップの対応関係を説明する。段ボール梱包箱を組み立てた際、フラップ１５−１，１５−２は天面側の蓋用フラップとなり、フラップ１５−３，１５−４は天面側の緩衝用フラップとなる。正面１１、右側面１２、背面１３、左側面１４は、組み立て時に側面となり、環状に連続するように端部は糊付け固定される。フラップ１６−１，１６−２は底面側の蓋用フラップとなり、フラップ１６−３，１６−４は底面側の緩衝用フラップとなる。
【００２７】
六面体の矩形の段ボール梱包箱１０は、側面（１１〜１４）の四面が環状に連結されており、各面の上辺と下辺から矩形のフラップ形状部分（１５−１〜１５−４，１６−１〜１６−４）が延設され、上辺と下辺のそれぞれで、相対向する二辺から開口部分を閉塞するように相手側の辺に向けて延設される蓋用フラップ対（１５−１と１５−２，１６−１と１６−２）と、残りの二辺から延設されて被梱包物の固定と保持に使用する緩衝用フラップ対（１５−３と１５−４，１６−３と１６−４）とを備えている。
【００２８】
図５は、緩衝用フラップ１６−４の組み立て前の部分展開図である。なお、以下において、左右対称となる部分には同様の符号を付しているので、特に明示しないものは左右対称の部材が相当する。 
緩衝用フラップ１６−４は、後述するように三角筒状に折り込まれる。三角筒の表面を形成する三面については、壁面となる左側面１４と連結する第二面１６−４−３と、これに連結する第一面１６−４−２と、先端側の底面１６−４−１と呼ぶことにする。第二面１６−４−３と第一面１６−４−２とが接する辺Ｅ−１１と直交するように平行な二本の切れ目Ｃ−１１，Ｃ−１２を同辺Ｅ−１１と交差するように形成してある。二本の切れ目Ｃ−１１，Ｃ−１２は辺Ｅ−１１と直交しており、切り込みの長さは、概略第二面１６−４−３の側を１ａとすると第一面１６−４−２の側は２ａの長さである。
【００２９】
図６は、緩衝用フラップ１６−４の組み立て途中の斜視図である。
緩衝用フラップ１６−４において、先端側が根本の側面（左側面１４）に戻るように断面が概略三角形となるように環状に折り込むにあたり、先端側の三角形の一面が開口面と略平行になる底面１６−４−１を形成するようにし、この底面から前記根本の側へと続く各面を第一面１６−４−２と第二面１６−４−３としたとき、この第一面１６−４−２と第二面１６−４−３とが接する辺Ｅ−１１と直交するように略平行な二本の切れ目Ｃ−１１，Ｃ−１２を形成している。
【００３０】
図７は、緩衝用フラップ１６−４の組み立て後の斜視図である。
二本の切れ目Ｃ−１１，Ｃ−１２の間でこの第一面１６−４−２と第二面１６−４−３とが接する辺Ｅ−１１が形成する角を当該三角形の内部側に折り込ませる。すると、折り込ませた部位で凹部Ｄ−１１が形成される。この凹部Ｄ−１１を第一の底側支持部と呼ぶ。
緩衝用フラップ１６−３の側でも同様に折り込み、左右で対称な第一の底側支持部を形成する。なお、左右で対称であるか否かは被梱包物Ｈの形状次第であり、被梱包物Ｈの底面の形状に沿って三角筒の形状を調整する。切り込みＣ−１１，Ｃ−１２の位置や大きさも調整する。
【００３１】
図８は、緩衝用フラップ１６−４の組み立て後の正面からの断面図である。
このようにすることで、当該段ボール梱包箱１０における内部の底側には相対向する辺から内側に向けて突き出るとともに突き出た先端側に凹部Ｄ−１１を形成して被梱包物Ｈを保持できる。
なお、本実施例においては、切り込みの長さが、第二面１６−４−３の側を１ａとし、第一面１６−４−２の側を２ａとしている。このようにすると、第一面１６−４−２を折り込んだ面は底面１６−４−１とほぼ平行になるし、第二面１６−４−３を折り込んだ面は左側面１４とほぼ平行になる。むろん、このような形状は被梱包物の底面の形状に合わせるが、本実施例のようにすると、被梱包物の底面角が直角であるときに、直角の凹部Ｄ−１１を形成することができる。
【００３２】
第一の底側支持部は、前記凹部Ｄ−１１で被梱包物Ｈの角を支持するが、下方向へかかる荷重は第一面１６−４−２と第二面１６−４−３を底面に向けて平坦にさせようと作用する。しかし、平坦となるためには第一面１６−４−２が被梱包物Ｈの側に向けて移動しなければならないが、被梱包物Ｈに突き当たるので移動は妨げられ、結果として、第一面１６−４−２と第二面１６−４−３を平坦にさせることができず、被梱包物Ｈを下方から支持できる。
【００３３】
また、被梱包物Ｈから、この緩衝用フラップ１６−４の根本が接続する左側面１４の壁面の側にかかる荷重は、凹部Ｄ−１１を同壁面の側に移動させようと作用する。この荷重は、一つには底面１６−４−１を前記壁面の側に向けて押しつぶそうと作用するので、その対抗力で支持される。また、第二面１６−４−３を同壁面の側に近接するように三角筒とした第一の底側支持部を回転させようと作用するものの、被梱包物Ｈを上方に移動させる必要があり、被梱包物Ｈが上方から支持されている限りはその抗力によって妨げられるから支持される。
【００３４】
次に、第一の底側支持部を形成しない側の緩衝用フラップ１５−３，１５−４について説明する。
図９は、緩衝用フラップ１５−４の組み立て前の部分展開図である。
緩衝用フラップ１５−４は、後述するように三角筒状に折り込まれる。三角筒の表面を形成する三面については、壁面となる左側面１４と連結する天面１５−４−１と、これに連結する第三面１５−４−２と、先端側の第四面１５−４−３と呼ぶことにする。第三面１５−４−２と第四面１５−４−３とが接する辺Ｅ−１２と直交するように平行な二本の切れ目Ｃ−１３，Ｃ−１４を同辺Ｅ−１２と交差するように形成してある。二本の切れ目Ｃ−１３，Ｃ−１４は辺Ｅ−１２と直交しており、切り込みの長さは、概略第四面１５−４−３の側を１ａとすると第三面１５−４−２の側は２ａの長さである。
【００３５】
図１０は、緩衝用フラップ１５−４の組み立て途中の斜視図である。
緩衝用フラップ１５−４において、断面が概略三角形となるように環状に折り込むにあたり、根本側の三角形の一面が開口面と略平行となる天面１５−４−１となり、先端側へと続く各面を第三面１５−４−２と第四面１５−４−３としたとき、この第三面１５−４−２と第四面１５−４−３とが接する辺Ｅ−１２と直交するように略平行な二本の切れ目Ｃ−１３，Ｃ−１４を形成している。
【００３６】
図１１は、緩衝用フラップ１５−４の組み立て後の斜視図である。
二本の切れ目Ｃ−１３，Ｃ−１４の間でこの第三面１５−４−２と第四面１５−４−３とが接する辺Ｅ−１２が形成する角を当該三角形の内部側に折り込ませる。すると、折り込ませた部位で凹部Ｄ−１２が形成される。この凹部Ｄ−１２を第一の天側支持部と呼ぶ。
緩衝用フラップ１５−３の側でも同様に折り込み、左右で対称な第一の天側支持部を形成する。なお、左右で対称であるか否かは被梱包物Ｈの形状次第であり、被梱包物Ｈの天面の形状に沿って三角筒の形状を調整する。切り込みＣ−１３，Ｃ−１４の位置や大きさも調整する。
【００３７】
図１２は、緩衝用フラップ１５−４の組み立て後の正面からの断面図である。
このようにすることで、当該段ボール梱包箱１０における内部の天側には相対向する辺から内側に向けて突き出るとともに突き出た先端側に凹部Ｄ−１２を形成して被梱包物Ｈを保持できる。
なお、本実施例においては、切り込みの長さが、第三面１５−４−２の側を１ａとし、第四面１５−４−３の側を２ａとしている。このようにすると、第三面１５−４−２を折り込んだ面は天面１５−４−１とほぼ平行になるし、第四面１５−４−３を折り込んだ面は左側面１４とほぼ平行になる。むろん、このような形状は被梱包物の底面の形状に合わせるが、本実施例のようにすると、被梱包物の底面角が直角であるときに、直角の凹部Ｄ−１２を形成することができる。
【００３８】
第一の天側支持部は、前記凹部Ｄ−１２で被梱包物Ｈの角を支持するが、上方向へかかる荷重は第三面１５−４−２と第四面１５−４−３を天面１５−４−１に向けて平坦にさせようと作用する。しかし、平坦となるためには第三面１５−４−３が被梱包物Ｈの側に向けて移動しなければならないが、天面１５−４−１と連続しているのでこの移動はほぼ不可能であり、第四面１５−４−３についても天面１５−４−１と左側面１４の壁面との接続部分に突き当たるので移動は妨げられ、結果として、第三面１５−４−２と第四面１５−４−３を平坦にさせることができず、被梱包物Ｈの上方への移動はできない。
【００３９】
また、被梱包物Ｈから、この緩衝用フラップ１５−４の根本が接続する左側面１４の壁面の側にかかる荷重は、凹部Ｄ−１２を同壁面の側に移動させようと作用する。この荷重は、一つには天面１５−４−１を前記壁面の側に向けて押しつぶそうと作用するとともに、第四面１５−４−３を同壁面と天面１５−４−１との角に押しつけることになるので、その対抗力で支持される。また、第四面１５−４−３を壁面の側に近接するように三角筒とした第一の天側支持部を回転させようと作用するものの、被梱包物Ｈを下方に移動させる必要があり、被梱包物が下方から支持されている限りはその抗力によって妨げられるから支持される。
【００４０】
図１３は、段ボール梱包箱の組み立て後の正面からの断面図である。
以上のようにして、折り込ませた部位で凹部Ｄ−１１，Ｄ−１１，Ｄ−１２，Ｄ−１２を形成したとき、この凹部Ｄ−１１，Ｄ−１１，Ｄ−１２，Ｄ−１２は内側にへこむ角を形成し、四つの緩衝用フラップ１６−３，１６−４，１５−３，１５−４で形成される四つの角が当該段ボール梱包箱の内部で各面から離間した位置に被梱包物Ｈを想定した矩形体の支持空間を形成する。
【００４１】
また、前記二本の切れ目Ｃ−１１，Ｃ−１２と切れ目Ｃ−１３，Ｃ−１４が形成された部位で、内側に折り込まれない側の二面は、外形が三角筒のままであり、切れ目Ｃ−１１，Ｃ−１２，Ｃ−１３，Ｃ−１４から先が凹部Ｄ−１１，Ｄ−１２となるので、二面が交差して接続するので、図７と図１１に示すように、 角Ｅ−１３，Ｅ−１４，Ｅ−１５，Ｅ−１６を形成する。角Ｅ−１３，Ｅ−１４と角Ｅ−１５，Ｅ−１６は、それぞれ凹部Ｄ−１１，Ｄ−１２を挟んで一対となって対峙し、これらの一対の角と角の間に被収容物を挟み込める支持空間を形成する。
【００４２】
以上、説明したことを補足する。段ボール梱包箱において緩衝材の役割をする形状を保持させる為、従来では組立が複雑で作業性が悪かった。作業性をよくする為に別ピースなどを追加すると部品点数が増加しコストが上がってしまう。
これに対して、本実施例では、曲げ回数が少なくても形状が保持される様にストッパー部分をもうけることで解決する。
【００４３】
本実施例では、曲げ回数が少ない為、作業性が向上するという効果を奏する。また、上下左右前後方向において緩衝性能を有することができる。
従来は、緩衝部形状を保持する為に複雑な折り曲げや切欠きなど要し組立ていた。
本実施例では、緩衝部は梱包箱の内フラップを折り曲げて形成する。被梱包物のために、緩衝部の一部を切欠き収納空間を設けている。
【００４４】
折り曲げ部分が元の形状に戻ろうとする方向にストッパーを設けることで、形状を保持させる。ストッパー形状は簡素もしくは特別な形状を設けること無く形状を保持させることができている。
このストッパーは、第一の底側支持部における底面１６−４−１が相当している。緩衝用フラップ１６−４を三角筒に折り込んだ際、その直後は、元の形状に戻ろう、すなわち、ほどけようとする。しかし、第二面１６−４−３が左側面１３に対して元に戻ろうとする力は、第一面１６−４−２と底面１６−４−１を、図１３において、時計回り方向に回転させようとして、底面１６−４−１を蓋用フラップ１６−１，１６−２に向けて押しつけるものの、その方向に移動できないので、ストッパーとして機能する。一方、第一面１６−４−２と底面１６−４−１がほどけようとするとき、底面１６−４−１は蓋用フラップ１６−１，１６−２に向けて押しつけられながら、これに抗してほどけようとするので、ここでもストッパーとして機能している。
【００４５】
このような状態であるため、緩衝用フラップ１６−４，１６−３は、折り込んだ状態でほどけようとしながらも一時的に折り込んだ状態を維持することができ、その間に被梱包物Ｈを収容してしまうことができる。
一方、第一の天側支持部の場合は、緩衝用フラップ１５−４，１５−３を折り込む際には既に被梱包物Ｈが収容されているから、三角筒状に折り込みつつ凹部Ｄ−１２を形成して被梱包物Ｈの角に引っかけることができる。ほどこうとする力は凹部Ｄ−１２を被梱包物Ｈの角に押しつけるとともに、天面１５−４−１を上方に押し上げようとするが、通常は凹部Ｄ−１２が被梱包物Ｈの角から抜け出ることはないし、抜け出る前に蓋用フラップ１５−１，１５−２を閉じることで、梱包作業が完了する。
なお、他につなぎ目部分の部材を延長し内側へ折り曲げることでストッパー形状とするようにしてもよい。
【００４６】
（第二実施例）
第一実施例は、緩衝用フラップ１６−４，１５−４を断面が概略三角形となるように環状に折り込んでいた。第二実施例では、緩衝用フラップ１６−４，１５−４を断面が概略四角形となるように環状に折り込む。以下、第一実施例と重複する部分については簡略にしつつ、第二実施例について詳述する。
【００４７】
図１４は、第二実施例にかかる段ボール梱包箱の組み立て前の展開図である。参照の便宜と誤認のないように、始めに説明する。
段ボール梱包箱２０を組み立てた際、正面２１、右側面２２、背面２３、左側面２４は、組み立て時に側面となり、環状に連続するように端部は糊付け固定される。フラップ２５−１，２５−２は天面側の蓋用フラップとなり、フラップ２５−３，２５−４は天面側の緩衝用フラップとなる。フラップ２６−１，２６−２は底面側の蓋用フラップとなり、フラップ２６−３，２６−４は底面側の緩衝用フラップとなる。
【００４８】
図１５は、段ボール梱包箱の緩衝用フラップ２６−４の組み立て後の斜視図である。
底側において、緩衝用フラップ２６−４は、先端側が根本の側面（左側面２４）に戻るように断面が概略四角形となるように環状に折り込む。この場合、先端側の四角形の一面が開口面と略平行になる底面２６−４−１を形成するようにし、この底面２６−４−１から前記根本の側へと続く各面を第一面２６−４−２と第二面２６−４−３と第三面２６−４−４とする。この第一面２６−４−２と第二面２６−４−３とが接する辺Ｅ−２１と直交するように略平行な二本の切れ目Ｃ−２１，Ｃ−２２を形成する。二本の切れ目Ｃ−２１，Ｃ−２２は辺Ｅ−２１と直交しており、切り込みの長さは、概略第一面２６−４−２の側を１ａとすると第二面２５−４−３の側も１ａの長さである。
【００４９】
二本の切れ目Ｃ−２１，Ｃ−２２の間でこの第一面２６−４−２と第二面２６−４−３とが接する辺Ｅ−２１が形成する角を当該四角形の内部側に折り込ませる。すると、折り込ませた部位で凹部Ｄ−２１を形成する。この凹部Ｄ−２１を第二の底側支持部と呼ぶ。
緩衝用フラップ２６−３の側でも同様に折り込み、左右で対称な第二の底側支持部を形成する。なお、左右で対称であるか否かは被梱包物Ｈの形状次第であり、被梱包物Ｈの底面の形状に沿って三角筒の形状を調整する。切り込みＣ−２１，Ｃ−２２の位置や大きさも調整する。
【００５０】
このようにすることで、当該段ボール梱包箱２０における内部の底側には相対向する辺から内側に向けて突き出るとともに突き出た先端側に凹部Ｄ−２１を形成して被梱包物Ｈを保持できる。
なお、本実施例においては、切り込みの長さが、第二面２６−４−３の側を１ａとし、第一面２６−４−２の側を１ａとしている。このようにすると、第一面２６−４−２を折り込んだ面は底面２６−４−１とほぼ平行になるし、第二面２６−４−３を折り込んだ面は左側面２４とほぼ平行になる。むろん、このような形状は被梱包物の底面の形状に合わせるが、本実施例のようにすると、被梱包物の底面角が直角であるときに、直角の凹部Ｄー２１を形成することができる。
【００５１】
第二の底側支持部は、前記凹部Ｄ−２１で被梱包物Ｈの角を支持するが、下方向へかかる荷重は第一面２６−４−２と第二面２６−４−３と第三面２６−４−４を底面に向けて平坦にさせようと作用する。しかし、第一面２６−４−２と第三面２６−４−４が支持しているし、ひしゃげようとするとしても、左側面２４や被梱包物Ｈの側に向けて移動しなければならず、いずれかに突き当たるので移動は妨げられ、結果として、被梱包物Ｈを下方から支持できる。
【００５２】
また、被梱包物Ｈから、左側面１４の壁面の側にかかる荷重は、第二面２６−４−３を同壁面の側に移動させようと作用する。この荷重は、一つには第二面２６−４−３を同壁面の側に向けて押しつぶそうと作用するので、その対抗力で支持される。また、ひしゃげようとするとしても、蓋用フラップ２６−１や被梱包物Ｈの側に向けて移動しなければならず、いずれかに突き当たるので移動は妨げられ、結果として支持される。
【００５３】
図１６は、段ボール梱包箱の緩衝用フラップ２５−４の組み立て後の斜視図である。
第二の底側支持部を形成しない側の緩衝用フラップ２５−４では、断面が概略四角形となるように環状に折り込むにあたり、根本側の四角形の一面が開口面と略平行となる天面２５−４−１となり、先端側へと続く各面を第四面２５−４−２と第五面２５−４−３と第六面２５−４−４とする。この第四面２５−４−２と第五面２５−４−３とが接する辺Ｅ−２２と直交するように略平行な二本の切れ目Ｃ−２３，Ｃ−２４を形成する。二本の切れ目Ｃ−２３，Ｃ−２４は辺Ｅ−２２と直交しており、切り込みの長さは、概略第四面２５−４−２の側を１ａとすると第五面２５−４−３の側も１ａの長さである。
【００５４】
二本の切れ目Ｃ−２３，Ｃ−２４の間でこの第四面２５−４−２と第五面２５−４−３とが接する辺Ｅ−２２が形成する角を当該四角形の内部側に折り込ませる。すると、折り込ませた部位で凹部Ｄ−２２を形成する。この凹部Ｄ−２２を第二の天側支持部と呼ぶ。  緩衝用フラップ２５−３の側でも同様に折り込み、左右で対称な第二の天側支持部を形成する。なお、左右で対称であるか否かは被梱包物Ｈの形状次第であり、被梱包物Ｈの天面の形状に沿って四角筒の形状を調整する。切り込みＣ−２３，Ｃ−２４の位置や大きさも調整する。
【００５５】
このようにすることで、当該段ボール梱包箱２０における内部の天側には相対向する辺から内側に向けて突き出るとともに突き出た先端側に凹部Ｄ−２２を形成して被梱包物Ｈを保持できる。
なお、本実施例においては、切り込みの長さが、第四面２５−４−２の側を１ａとし、第五面２５−４−３の側を１ａとしている。このようにすると、第四面２５−４−２を折り込んだ面は天面２５−４−１とほぼ平行になるし、第五面２５−４−３を折り込んだ面は左側面２４とほぼ平行になる。むろん、このような形状は被梱包物の底面の形状に合わせるが、本実施例のようにすると、被梱包物の底面角が直角であるときに、直角の凹部Ｄー２２を形成することができる。
【００５６】
第二の天側支持部は、前記凹部Ｄ−２２で被梱包物Ｈの角を支持するが、上方向へかかる荷重は第四面２５−４−２と第六面２５−４−４を天面２５−４−１に向けて平坦にさせようと作用する。しかし、第四面２５−４−２と第六面２５−４−４がこれに抗している。また、ひしゃげようとするとしても、左側面２４か被梱包物Ｈの側に向けて移動しなければならず、いずれに対しても突き当たるので移動はほぼ不可能であり、被梱包物Ｈの上方への移動はできない。
【００５７】
また、被梱包物Ｈから、左側面１４の壁面の側にかかる荷重は、第五面２５−４−３を押しつぶそうとし、第五面２５−４−３がこれに抗している。また、ひしゃげようとするとしても、蓋用フラップ２５−１の側か被梱包物Ｈの側に向けて移動しなければならず、いずれに対しても突き当たるので移動はほぼ不可能であり、被梱包物Ｈは支持される。
【００５８】
図１７は、段ボール梱包箱の組み立て後の正面からの断面図である。
以上のようにして、折り込ませた部位で凹部Ｄ−２１，Ｄ−２１，Ｄ−２２，Ｄ−２２を形成したとき、この凹部Ｄ−２１，Ｄ−２１，Ｄ−２２，Ｄ−２２は内側にへこむ角を形成し、四つの緩衝用フラップ２６−３，２６−４，２５−３，２５−４で形成される四つの角が当該段ボール梱包箱の内部で各面から離間した位置に被梱包物Ｈを想定した矩形体の支持空間を形成する。
【００５９】
また、前記二本の切れ目Ｃ−２１，Ｃ−２２と切れ目Ｃ−２３，Ｃ−２４が形成された部位で、内側に折り込まれない側の二面は、外形が四角筒のままであり、切れ目Ｃ−２１，Ｃ−２２，Ｃ−２３，Ｃ−２４から先が凹部Ｄ−２１，Ｄ−２２となるので、二面が交差して接続するので、図１５と図１６に示すように、角Ｅ−２３，Ｅ−２４，Ｅ−２５，Ｅ−２６を形成する。角Ｅ−２３，Ｅ−２４と角Ｅ−２５，Ｅ−２６は、それぞれ凹部Ｄ−２１，Ｄ−２２を挟んで一対となって対峙し、これらの一対の角と角の間に被収容物を挟み込める支持空間を形成する。
【００６０】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６１】
１０…段ボール梱包箱、１１…正面、１２…右側面、１３…左側面、１３…背面、１４…左側面、１５−１，１５−２…蓋用フラップ、１５−３，１５−４…緩衝用フラップ、１５−４−１…天面、１５−４−２…第三面、１５−４−３…第四面、１６−１，１６−２…蓋用フラップ、１６−３，１６−４…緩衝用フラップ、１６−４−１…底面、１６−４−２…第一面、１６−４−３…第二面、Ｃ−１１，Ｃ−１２，Ｃ−１３，Ｃ−１４…切れ目、Ｄ−１１，Ｄ−１２…凹部、Ｅ−１１，Ｅ−１２…辺、Ｅ−１３，Ｅ−１４…角、２０…段ボール梱包箱、２１…正面、２２…右側面、２３…背面、２４…左側面、２５−１，２５−２…蓋用フラップ、２５−３，２５−４…緩衝用フラップ、２５−４−１…天面、２５−４−２…第四面、２５−４−３…第五面、２５−４−４…第六面、２６−１，２６−２…蓋用フラップ、２６−３，２６−４…緩衝用フラップ、２６−４−１…底面、２６−４−２…第一面、２６−４−３…第二面、２６−４−４…第三面。
【図１】
2015174686.tif 000003
【図２】
2015174686.tif 000004
【図３】
2015174686.tif 000005
【図４】
2015174686.tif 000006
【図５】
2015174686.tif 000007
【図６】
2015174686.tif 000008
【図７】
2015174686.tif 000009
【図８】
2015174686.tif 000010
【図９】
2015174686.tif 000011
【図１０】
2015174686.tif 000012
【図１１】
2015174686.tif 000013
【図１２】
2015174686.tif 000014
【図１３】
2015174686.tif 000015
【図１４】
2015174686.tif 000016
【図１５】
2015174686.tif 000017
【図１６】
2015174686.tif 000018
【図１７】
2015174686.tif 000019